(57)【要約】【課題】  加熱室の温度分布を均一にし、かつ熱分解ガスを速やかに排出することができる加熱処理装置を提供する。【解決手段】  コンテナ４を介して搬送される物を加熱する加熱処理装置１において、略直方体の空間として画成される加熱室２と、この加熱室２を加熱するヒータ１０と、加熱室２にてコンテナ４を搬送するコンベア２０と、加熱室２のガスを循環させる第一、第二ファン５，６とを備え、第一、第二ファン５，６を加熱室２を挟んで対向させるとともに、第一、第二ファン５，６を加熱室２の対角位置に配置し、第一、第二ファン５，６の送風によって加熱室２に渦状のガス流動を起こす構成とする。【選択図】    図１
2005274040.tif 000002
【特許請求の範囲】
【請求項１】
コンテナを介して搬送される物を加熱する加熱処理装置において、
略直方体の空間として画成される加熱室と、
この加熱室を加熱するヒータと、
前記加熱室にて前記コンテナを搬送するコンベアと、
前記加熱室のガスを循環させる第一、第二ファンとを備え、
この第一、第二ファンを加熱室を挟んで対向させるとともに、第一、第二ファンを加熱室の対角位置に配置し、
前記第一、第二ファンの送風によって加熱室に渦状のガス流動を起こす構成としたことを特徴とする加熱処理装置。
【請求項２】
前記第一、第二ファンを前記コンベアより上方に配置し、
前記第一、第二ファンの送風を前記コンベアの上方に送る構成としたことを特徴とする請求項１に記載の加熱処理装置。
【請求項３】
前記ヒータを前記加熱室の中央部に面するように配置し、
前記第一、第二ファンを前記ヒータを挟んで対向するように配置したことを特徴とする請求項１または２に記載の加熱処理装置。
【発明の詳細な説明】
【技術分野】
【０００１】
本発明は、コンテナを介して搬送される物を加熱処理する加熱処理装置の改良に関するものである。
【背景技術】
【０００２】
従来、この種の加熱処理装置として、例えば特許文献１には、廃棄物を加熱によって熱分解する炉室を備え、各炉室から発生した熱分解ガスを回収するものが開示されている。
【特許文献１】特開昭５９−２１７４１０号公報
【発明の開示】
【発明が解決しようとする課題】
【０００３】
しかしながら、このような従来の加熱処理装置にあっては、炉室内のガス流動が十分に得られず、炉室の温度分布が不均一になり、また炉室から熱分解ガスを排出する時に熱分解ガスが炉室内に滞留しやすいという問題点があった。
【０００４】
本発明は上記の問題点に鑑みてなされたものであり、加熱室の温度分布を均一にし、かつ熱分解ガスを速やかに排出することができる加熱処理装置を提供することを目的とする。
【課題を解決するための手段】
【０００５】
本発明は、コンテナを介して搬送される物を加熱する加熱処理装置に適用する。
【０００６】
そして、略直方体の空間として画成される加熱室と、この加熱室を加熱するヒータと、加熱室にてコンテナを搬送するコンベアと、加熱室のガスを循環させる第一、第二ファンとを備え、第一、第二ファンを加熱室を挟んで対向させるとともに、第一、第二ファンを加熱室の対角位置に配置し、第一、第二ファンの送風によって加熱室に渦状のガス流動を起こす構成としたことを特徴とするものとした。
【発明の効果】
【０００７】
本発明によると、第一、第二ファンの送風によって加熱室のガスを渦状に循環させることにより、加熱室におけるガス流動を強められる。これによりヒータからガスへの放熱が促されるとともに、加熱室の温度分布を均一にすることができる。また、加熱室から熱分解ガスを排出する時に熱分解ガスが加熱室内に滞留しにくく、熱分解ガスを速やかに排出することができる。
【発明を実施するための最良の形態】
【０００８】
以下、本発明の実施の形態を添付図面に基づいて説明する。
【０００９】
図１（ａ），（ｂ）、図２の（ａ），（ｂ）に示すように、加熱処理装置１は、略直方体の空間として画成される加熱室２と、この加熱室２を断熱材９を介して仕切るケーシング３と、加熱室２を加熱するヒータ１０と、加熱室２にてコンテナ４を搬送するコンベア２０と、加熱室２のガスを循環させる第一、第二ファン５，６とを備える。
【００１０】
コンテナ４には図示しない複数のパレットが多段に収められ、各パレットに例えば廃材を破砕したチップ等が敷き詰められる。
【００１１】
コンベア２０は加熱室２の下方に配置され、ケーシング３内にてコンテナ４を搬送する。コンベア２０は、左右に配置される前後スプロケット２１，２２と、この前後スプロケット２１，２２に渡って掛け回される左右のチェーン２３とを備える。前のスプロケット２１にケーシング３の外側に設けられるモータ（図示せず）の駆動力が伝達され、左右のチェーン２３が循環する。コンテナ４は左右のチェーン２３上に載せられ、図２の（ａ），（ｂ）に矢印で示す進行方向に搬送される。
【００１２】
ケーシング３は左右側壁３１，３２と、上下壁３３，３４、仕切り扉３５とを備え、これらによって加熱室２を密閉空間として画成するようになっている。ケーシング３の内側には断熱材９が設けられる。
【００１３】
仕切り扉３５は加熱室２の前部を開閉する。ケーシング３の後部には別のケーシング（図示せず）が接続され、加熱室２の後部はそのケーシングの前部に設けられる仕切り扉によって開閉されるようになっている。
【００１４】
ヒータ１０は上下左右の各シーズヒータ１１，１２，１３，１４を備える。上左右のシーズヒータ１１，１３，１４は加熱室２を取り囲むように上左右に配置される。下のシーズヒータ１２はコンベア２０の下方に配置される。
【００１５】
第一、第二ファン５，６はケーシング３の左右側壁３１，３２を貫通する各シャフト５１，６１にそれぞれ連結され、各シャフト５１，６１に各モータ５２，６２の回転が伝達される。
【００１６】
第一、第二ファン５，６は複数の羽根を有し、この羽根の回転によってそれぞれの回転軸方向に送風するようになっている。
【００１７】
ケーシング３の左右側壁３１，３２には各ハウジング５３，６３が結合され、各ハウジング５３，６３に各シャフト５１，６１が軸受を介して回転可能に支持される。各ハウジング５３，６３に各モータ５２，６２が固定され、各モータ５２，６２の回転が図示しないプーリ及びベルトを介して各シャフト５１，６１に伝達される。
【００１８】
各ハウジング５３，６３と各シャフト５１，６１の間に各断熱材５４，６４が介装される。第一、第二ファン５，６は各ハウジング５３，６３を介して各断熱材５４，６４、各シャフト５１，６１、各モータ５２，６２と共にユニット化して設けられ、ケーシング３に対する着脱を容易に行うことができる。
【００１９】
第一、第二ファン５，６は加熱室２を挟んで対向するとともに、加熱室２の対角位置に配置し、第一、第二ファン５，６の送風によって加熱室２のガスを渦状に循環させる構成とする。第一ファン５は加熱室２の後部にてガスを右から左方向に送り、第二ファン６は加熱室２の前部にてガスを左から右方向に送る。
【００２０】
左右の各シーズヒータ１３，１４は加熱室２の中央部に面するように配置する一方、第一、第二ファン５，６は各シーズヒータ１３，１４を挟んで対向するように配置する。左右の各シーズヒータ１３，１４は上下方向に延びるとともに、加熱室２の中央部に面するように配置する。第一ファン５は左のシーズヒータ１３より前方に配置し、第二ファン６は右のシーズヒータ１４より後方に配置する。
【００２１】
第一、第二ファン５，６はコンベア２０より上方に配置する。第一、第二ファン５，６の送風はコンベア２０上に送られる構成とする。加熱室２はコンベア２０の上方に位置してコンテナ４が介在するコンベア上部空間４１と、コンベア２０が介在するコンベア介在空間４２とを有する。第一、第二ファン５，６はコンベア上部空間４１に介在するように設けられる。
【００２２】
加熱室２に窒素ガス注入管及び排出ガス管が配設され、加熱室２の温度、加熱時間、圧力、酸素濃度等が図示しない制御装置によって制御される。
【００２３】
加熱処理装置１は、加熱室２にコンテナ４を搬入し、加熱室２を密閉し、加熱室２に窒素ガスを注入して無酸素状態または低酸素濃度状態とした後、ヒータ１０を作動させて加熱室２の温度を所定値まで上昇させる。これにより、コンテナ４の廃材を熱分解し、熱分解により生ずる分解ガスを取り出すように構成されている。
【００２４】
第一、第二ファン５，６を加熱室２を挟んで対向させるとともに、加熱室２の対角位置に配置することにより、第一、第二ファン５，６の送風によって加熱室２のガスを渦状に循環させ、加熱室２におけるガス流動を強められる。これにより、上記加熱処理時に加熱室２の温度分布を均一にし、コンテナ４の全域に渡って熱分解処理が均一に行われる。また、加熱室２から熱分解ガスを排出する際に熱分解ガスを速やかに排出することができる。
【００２５】
第一、第二ファン５，６をコンベア２０より上方に配置し、第一、第二ファン５，６の送風をコンベア２０上に送る構成としたため、第一、第二ファン５，６の送風による渦状のガス流動が加熱室２のコンベア上部空間４１に生起され、コンベア上部空間４１に介在するコンテナ４がこのガス流にさらされる。これにより、上記加熱処理時に加熱室２の温度分布を均一にし、コンテナ４の全域に渡って熱分解処理が均一に行われる。また、加熱室２から熱分解ガスを排出する際に熱分解ガスを速やかに排出することができる。
【００２６】
左右の各シーズヒータ１３，１４を加熱室２の中央部に面するように配置する一方、第一、第二ファン５，６を各シーズヒータ１３，１４を挟んで対向するように配置したため、第一、第二ファン５，６の背後へと吸い込まれるガス流に各シーズヒータ１３，１４がさらされ、ヒータ１０からガスへの放熱が促され、加熱室２の温度分布を均一にし、かつ熱分解ガスを速やかに排出することができる。
【００２７】
本発明は上記の実施の形態に限定されずに、その技術的な思想の範囲内において種々の変更がなしうることは明白である。
【産業上の利用可能性】
【００２８】
本発明は、例えばコンテナを介して搬送される物を加熱する加熱処理装置に利用できる。
【図面の簡単な説明】
【００２９】
【図１】（ａ）は本発明の実施の形態を示す加熱処理装置を上方から見た断面図、（ｂ）は同じく加熱処理装置を正面方向から見た断面図。
【図２】（ｃ）は同じく加熱処理装置を左側方から見た断面図、（ｄ）は加熱処理装置を右側方から見た断面図。
【符号の説明】
【００３０】
１  加熱処理装置
２  加熱室
３  ケーシング
４  コンテナ
５  第一ファン
６  第二ファン
１０  ヒータ
２０  コンベア
４１  コンベア上部空間
【図１】
2005274040.tif 000003
【図２】
2005274040.tif 000004